(57)【要約】      （修正有）【課題】サイズや本数が変動した場合にも柔軟に対応できるケーブル保持装置を提供する。【解決手段】スペーサー部材１０は、弾性のある材料から構成されて、その一部にケーブルを通すための割り入れ部が設けられ、固定用金具２０は、全体として断面Ｕ字形状をなして、スペーサー部材の外面形状に合わせられた内面形状を有し、内部にケーブルが挿通されたスペーサー部材を保持するためのケーブル保持部と、ケーブル長手方向に鉛直してそれぞれが逆方向に突設された２つのフランジ部ｆ１，ｆ２とを有し、２つのフランジ部のそれぞれには、ケーブル長手方向と鉛直する方向に締め付けるための締結部材３０が配設され、締結部材を締め付けることによって固定用金具を締め付け方向に移動させてスペーサー部材に弾性変形を起こさせ、これらの締付力と弾性力によってスペーサー部材内に複数本のケーブルを保持するように構成される。【選択図】図１
2009189073.tif 000002
【特許請求の範囲】
【請求項１】
複数本のケーブルを筒形状のスペーサー部材の中に挿通して、
前記スペーサー部材をその外周側から被う固定用金具によって締め付けて、
前記複数本のケーブルを所定の位置に保持するケーブル保持装置であって、
前記スペーサー部材は、弾性のある材料から構成されて、その一部にケーブルを通すための割り入れ部が設けられ、
前記固定用金具は、全体として断面Ｕ字形状をなして、前記スペーサー部材の外面形状に合わせられた内面形状を有し、内部にケーブルが挿通された前記スペーサー部材を保持するためのケーブル保持部と、ケーブル長手方向に鉛直してそれぞれが逆方向に突設された２つのフランジ部とを有し、
前記２つのフランジ部のそれぞれには、ケーブル長手方向と鉛直する方向に締め付けるための締結部材が配設され、
前記締結部材を締め付けることによって前記固定用金具を締め付け方向に移動させて前記スペーサー部材に弾性変形を起こさせ、これらの締付力と弾性力によって前記スペーサー部材内に複数本のケーブルを保持するように構成される、ことを特徴とするケーブル保持装置。
【請求項２】
請求項１に記載のケーブル保持装置において、
前記スペーサー部材は、ケーブル長手方向に傾斜を有する楔構造を備えて構成される、ことを特徴とするケーブル保持装置。
【請求項３】
請求項１または２に記載のケーブル保持装置において、
締め付け方向における前記固定用金具の寸法を、前記スペーサー部材のそれよりも小さくして、前記スペーサー部材の弾性変形量を大きく取るように構成される、ことを特徴とするケーブル保持装置。
【発明の詳細な説明】
【技術分野】
【０００１】
本発明は、電線や電力ケーブルなどを所定の設備や場所に配線して、そこに保持または固定するためケーブル保持(固定)装置に係り、より具体的には、地中の洞道内の壁面などにおいて、多相(複数本)の電力ケーブルを纏めて配置して保持または固定することができるケーブル保持(固定)装置に関するものである。
【背景技術】
【０００２】
ケーブル保持装置としては、複数の相(本数)を俵積みにして配列した電力ケーブルや、複数条のケーブルを撚合わせてなるトリプレックス形ケーブルなどのように、複数本のケーブルを纏めて拘束して固定するのに適するタイプのものがある。
図６と図７は、３条のケーブル(１ａ,１ｂ,１ｃ)からなるトリプレックス形のケーブル６１をスプリング(バネ)を用いて固定するための、従来のケーブル保持装置であるケーブルクリート６０を示す図である。
【０００３】
図７に示すケーブルクリート６０は、３条(１ａ,１ｂ,１ｃ)からなるケーブル６１を一括して包被するために、外周断面が円形の円筒状のゴム製スペーサー６２を有しており、このゴム製スペーサー６２の内面は、３条(１ａ,１ｂ,１ｃ)からなるケーブル６１の外側の形状に合わせられた形状に形成されている。
また、このケーブルクリート６０は、上下に２分割された上部把持体６３と下部把持体６４とからなる把持体６３(クリート本体)を備え、上部把持体６３と下部把持体６４のそれぞれの内側には、ゴム製スペーサー６２を受け入れるためにゴム製スペーサー６２の外形(略断面円形)に合せられた形状を有する凹部(３ａ,３ｂ)が形成されている。
【０００４】
そして、把持体６３(クリート本体)の２体が対となっている上部把持体６３と下部把持体６４には、その両側から突出してそれぞれフランジ部(ｆａ-ｆａ’,ｆｂ-ｆｂ’)がケーブル長手方向に直角する面(図７では水平面)に設けられていて、その上部把持体６３のフランジ部(ｆｂ-ｆｂ’)の上面には、スプリング・ボルト・ナット等の締付部材を有する締付部(６３ａ,６３ｂ)が配設されている。
【０００５】
また、３条のケーブル(１ａ,１ｂ,１ｃ)を内包する円筒状のゴム製保護スペーサー６２は、図６の下図に示すように、取り付ける際にケーブルを中に挿入する便宜のため、周囲の一部が分断されたスリット部６Ｓ(割り入れ部)を有している。このスリット部６Ｓを通してケーブルを中に配置してから、上部把持体６３と下部把持体６４とを締付部(６３ａ,６３ｂ)の締付用部材によって締め付けて、ゴム製保護スペーサー６を介して３条のケーブル(１ａ,１ｂ,１ｃ)をまとめて把持して拘束できる構造としている。
【０００６】
このケーブル保持装置６０の施工手順は、つぎのように行われる。
(１)ケーブルサポート部材６５に下部把持体６４を取り付ける。このとき、ボルト・ナット等の締付部材を用いて、下部把持体６４の支持足部(６４ａ,６４ｂ)をケーブルサポート部材６５に締め付けて固定する。（図６上図）
(２)ゴム製スペーサー６２のスリット部６Ｓ(割り入れ部)を通して、３条のケーブル(１ａ,１ｂ,１ｃ)をゴム製スペーサー６２の内部に挿入させる。（図６下図）
(３)３条のケーブル(１ａ,１ｂ,１ｃ)が挿入されたゴム製スペーサー６２を、下部把持体６４の凹部４ａに載置し、その上から上部把持体６３を被せて取り付ける。（図７上図）
(４)ボルトｂ１を締め付けてコイルばねｃｓ１を撓ませるが、このとき、ボルトｂ１の頭部下面および座金ｚ１の上面の位置にある座面Ａと、締付部(６３ａ,６３ｂ)の上部が開放された円筒部分の最端部の位置にある座面Ａ’とが、同じ位置にくるまで、ボルトｂ１を締め付けていく。（図７下図）
【０００７】
本発明のケーブル保持装置の技術分野に関わる特許文献としては、例えば次のようなものがある。
【特許文献１】特開２００４−１２０８３６号公報
【特許文献２】実開平０６−７４０３３号公報
【特許文献３】実開平０３−１２７４３５号公報
【０００８】
図６、７に示した従来のケーブル保持装置では、つぎのような問題点がある。
・固定する３本のケーブルのサイズ(大きさ)、形状などの仕様に合わせて規格設計された製品となっているので、ケーブルのサイズや本数に変更や変動があった場合には、同じ製品を用いることは全くできなくなる。
・ケーブルの種類や本数によっては、コイルばねを用いた締め付け部や荷重の設計が複雑になり、ケーブルの把握力(掌握力、把持力)が十分に得られない場合がある。
・部品点数が多さ、上部把持体と下部把持体の鋳造などのために、製品のコストをなかなか下げることができない。
【発明の開示】
【発明が解決しようとする課題】
【０００９】
本発明は、上述したようなケーブル保持装置に関する問題点を解決するためになされたものであり、ケーブルのサイズや本数が変動した場合にも柔軟に対処することができ、締め付け部や荷重に関する複雑な設計を必要とせずにケーブル把握力が十分に得られ、低コストにて製造可能となるケーブル保持装置を提供することを目的とする。
【課題を解決するための手段】
【００１０】
（１）複数本のケーブルを筒形状のスペーサー部材の中に挿通して、
前記スペーサー部材をその外周側から被う固定用金具によって締め付けて、
前記複数本のケーブルを所定の位置に保持するケーブル保持装置であって、
前記スペーサー部材は、弾性のある材料から構成されて、その一部にケーブルを通すための割り入れ部が設けられ、
前記固定用金具は、全体として断面Ｕ字形状をなして、前記スペーサー部材の外面形状に合わせられた内面形状を有し、内部にケーブルが挿通された前記スペーサー部材を保持するためのケーブル保持部と、ケーブル長手方向に鉛直してそれぞれが逆方向に突設された２つのフランジ部とを有し、
前記２つのフランジ部のそれぞれには、ケーブル長手方向と鉛直する方向に締め付けるための締結部材が配設され、
前記締結部材を締め付けることによって前記固定用金具を締め付け方向に移動させて前記スペーサー部材に弾性変形を起こさせ、これらの締付力と弾性力によって前記スペーサー部材内に複数本のケーブルを保持するように構成されるケーブル保持装置とした。
【００１１】
（２）(１)のケーブル保持装置において、
前記スペーサー部材は、ケーブル長手方向に傾斜を有する楔構造を備えて構成される。
（３）(１)または(２)のケーブル保持装置において、
締め付け方向における前記固定用金具の寸法を、前記スペーサー部材のそれよりも小さくして、前記スペーサー部材の弾性変形量を大きく取るように構成される。
【発明の効果】
【００１２】
・本発明のケーブル保持装置は、ケーブルを挿通して把持する個所として広いスペースを確保することができ、ケーブルサイズ(大きさ)や種類を問わず、複数のケーブルをランダムに束ねて取付け可能となり、ケーブルの多様性に広く対応することができる。
・スペーサー部材には、ゴムなどの弾性力に富む材料が用いられているので、複数のケーブルが組み合わされた締め付けに対して柔軟に対応でき、安定したケーブル把握力を得ることができる。
・スペーサー部材をクサビ形状にすることによって、線路方向の荷重での把握力をさらに安定させることができる。
【００１３】
・締め付け方向でのスペーサー部材の高さ(寸法)を、サドルの高さ(寸法)より高く(大きく)しておくことにより、フランジ部の両端に配置したボルトを締め付けつけたとき、スペーサー部材の弾力性による大きな締め代を確保することが可能となり、ケーブルの把握力を大きくして、製品の性能を向上させることができる。
・ケーブルの把握力を大きく取れることにより、線路方向の荷重で拘束力が上がると共に、スペーサー部材自体にも脱落防止の効果が得られる。
【発明を実施するための最良の形態】
【００１４】
さて、本発明による「ケーブル保持装置」の実施の形態について、図１〜５を参照して説明する。
まず図１には、本発明の一実施形態に係るケーブル保持装置を示し、このケーブル保持装置１００は、スペーサー部材１０、固定用金具２０、締結部材３０を備えて、複数本のケーブル(C1,C2,〜Cm)を筒形状のスペーサー部材１０の中に挿通させて、そのスペーサー部材１０をその外周側から固定用金具２０によって被い、締結部材３０によって固定用金具２０の両側の端部を締め付けて、複数本のケーブル(C1,C2,〜Cm)の束を、所定の位置に纏めて保持する装置である。
【００１５】
図１(１)は、スペーサー部材１０の中に複数本のケーブル(C1,C2,〜Cm)の束を挿通させたところを示す図であり、図１(２)は、図１(１)のスペーサー部材１０の外周面から固定用金具２０を取り付けて、締結部材３０によって締め付ける前の状態を示す図であり、図１(３)は、「スペーサー部材１０＋固定用金具２０」が締結部材３０によって、据え付け部材４０上に取り付けられた状態を示す図である。
【００１６】
図１に示すケーブル保持装置１００において、スペーサー部材１０は、全体としては短尺寸法の略円筒形状や略角筒形状からなるもので、ゴムや樹脂などの弾性力があって変形しやすい材料から形成され、ケーブルを内部に挿通させてこれらを包被するためのケーブル空間部１０ｋが設けられた断面Ｕ形のケーブル挿通部１０ｕと、平板な据え付け部材４０に当接されて押し付けられる底面部１０ｔとから構成されており、底面部１０ｔではその一部は切り欠かかれて、ケーブルを通すための割り入れ部Ｓ１が設けられている。また、ケーブル挿通部１０ｕでは、その外側の面における周端の縁部は突設されて、２つが並列する１対の周端突設縁部(ｓｔ１, ｓｔ２)となっている。
【００１７】
固定用金具２０は、全体として断面Ｕ字形状をなして、スペーサー部材１０のケーブル挿通部１０ｕの外面形状に合わせられた内面形状を有していて、内部にケーブルが挿通されたスペーサー部材１０を保持するためのケーブル保持部２０ｕと、ケーブル長手方向に鉛直して据え付け部材４０と平行にそれぞれが逆方向に突設された２つのフランジ部(ｆ１,ｆ２)とを有している。
そして、この固定用金具２０がスペーサー部材１０の外周面に被せられて設置されるときは、ケーブル挿通部１０ｕの周端突設縁部(ｓｔ１−ｓｔ２)の間の外周中央部１０ｃに設置されることとなり、固定用金具２０はこれらの周端突設縁部(ｓｔ１−ｓｔ２)によって適正な位置に容易に配置設定されることが可能になっている。
【００１８】
締め付け部材は、ボルト(ｂ１,ｂ２)、上側のワッシャー(ｗ１,ｗ２)、下側のワッシャー( ｗ１’ｗ２’)、ナット(ｎ１,ｎ２)、抜け止めナット(ｎ１’ｎ２’)とからなり、据え付け部材４０の貫通穴(４０ａ,４０ｂ)において、図１の下図左に示すように、「ボルト(ｂ１,ｂ２)−下側のワッシャー( ｗ１’ｗ２’)−貫通穴(４０ａ,４０ｂ)−フランジ部(ｆ１,ｆ２)−上側のワッシャー(ｗ１,ｗ２)−ナット(ｎ１,ｎ２)−抜け止めナット(ｎ１’ｎ２’)」のように各部材を配設して、上記の一連の締結部材３０を締め付けて、スペーサー部材１０に圧縮力を与え、据え付け部材４０上に固定用金具２０を固定する。
【００１９】
このとき、据え付け部材４０の上側の表面４０ｈと、固定用金具２０のフランジ部(ｆ１,ｆ２)の下側の表面の(ｈ１, ｈ２)との間には、「ギャップ(空間距離)ｇ」が設定されている。これは、締め付け方向でのスペーサー部材１０の高さを、固定用金具２０のフランジ部(ｆ１,ｆ２)の高さより大きく取った設計にすることにより、このギャップｇを確保しているものである。
【００２０】
フランジ部(ｆ１,ｆ２)の両端に配置された締結部材３０を締め付けつけたときに、スペーサー部材１０は「ギャップｇ」の分だけ大きく圧縮されて、「ギャップｇ」が見えなくなるまで弾性変形させられるが、このギャップｇは、締め付けの際には圧縮変形に伴う大きな締め代として機能するものである。
このギャップｇを用いた締め付けにより、ケーブルの把握力(掌握力)を大きく向上させることができ、ケーブルの把握力を大きく取れることにより、線路方向の荷重でケーブル拘束力が上がると共に、スペーサー部材自体にも脱落防止の効果が得られるものである。
【００２１】
つぎの図２は、本発明によるケーブル保持装置１００に係る図であり、「スペーサー部材１０＋固定用金具２０」が締結部材３０によって、据え付け部材４０上面に取り付けられた状態を示す図である。図２(２)をケーブル保持装置１００の正面図として、図２(１)はその上面図、図２(３)はその側面図(左右の側面図は同じ)、図２(４)は断面Ａ−Ａによる矢視図である。
ここでの固定用金具２０は、アルミ材または鉄材等の金属材料を細長い帯状として断面Ｕ形の形状に加工形成されたものであり、その幅の寸法は、スペーサー部材１０のケーブル挿通部１０ｕの周端突設縁部(ｓｔ１−ｓｔ２)の幅に一致するようになっている。
【００２２】
また図３は、図１、図２のケーブル保持装置１００のスペーサー部材１０を示す図であり、図３(２)をスペーサー部材１０の正面図として、図３(１)はその上面図、図３(３)はその側面図(左右の側面図は同じ)、図２(４)はＡ−Ａ断面による矢視図である。
このスペーサー部材１０は、ケーブル挿通部１０ｕと底面部１０ｔとからなり、ケーブル挿通部１０ｕの外周側には外周中央部１０ｃと周端突設縁部(ｓｔ１,ｓｔ２)とを備えていて、外周中央部１０ｃの幅１０ｈは、外周中央部１０ｃ内に固定用金具２０が納まるように、固定用金具２０の幅に合わせた寸法に設定されている。
【００２３】
さて図４は、本発明のケーブル保持装置に適用されるスペーサー部材の別の例を示す図である。ここでのスペーサー部材５０は、ケーブル挿通部５０ｕと底面部５０ｔとを有し、そのケーブル挿通部５０ｕはケーブル長手方向に傾斜を有する楔構造を備えて構成されている。すなわち、このケーブル挿通部５０ｕは、その外周側には外周中央部５０ｃと周端突設縁部(ｗ１,ｗ２)と、内部の空間としてのケーブル挿通部５０ｋとを備え、ケーブル挿通部５０ｋの内部寸法はケーブル長手方向に一様であって、横幅ｃｈ１と縦幅ｃｈ２は共に一定となっているものの、外周中央部５０ｃの肉厚ｗｔは、第１の周端突設縁部ｗ１の側から第２の周端突設縁部ｗ２の側にいくに従って規則的に漸次大きくなるような楔構造となっており、この外周中央部５０ｇの肉厚ｗｔの変化により「傾斜角度α」を生じている。
【００２４】
つぎの図５は、図４に示した楔構造のスペーサー部材５０と、図２に示した楔構造を持たない固定用金具２０とを組み合わせて、スペーサー部材５０を介して固定用金具２０を締結部材３０によって締め付けて、複数のケーブルＣ５０を据え付け部材４０上に取り付けて保持した状態を示す図である。この図５のスペーサー部材５０は、楔構造を持たない固定用金具２０によって締め付けられているので、肉厚の大きい第２の周端突設縁部ｗ２の側が、肉厚の小さい第１の周端突設縁部ｗ１の側よりも大きく圧縮されて弾性変形し、第２の周端突設縁部ｗ２の側でより大きなケーブル掌握力が得られる構造である。
【００２５】
また、図５では、このスペーサー部材５０は、楔構造を有していて、ケーブル５０Ｃに加わる荷重の方向(引っ張られる方向)に対して、肉厚の小さい第１の周端突設縁部ｗ１の側を前に、肉厚の大きい第２の周端突設縁部ｗ２の側を後ろにして配置設定してあるので、このスペーサー部材５０はその楔構造によって固定用金具２０の内部にもぐり込むように動作することになり、ますます強く締め付けられる状態が得られる。
このように、本発明のケーブル保持装置では、スペーサー部材をクサビ構造の形状にすることによって、線路方向の荷重での把握力を強力にさせて、ケーブルの保持(固定)をより安定化させることができ、また、ケーブルの把握力を大きく取れることにより、線路方向の荷重でその拘束力を上げることができるとともに、スペーサー部材自体にも脱落防止の効果が得られる。
【図面の簡単な説明】
【００２６】
【図１】本発明のケーブル保持装置の一実施形態に係る図であり、ケーブル保持装置１００がケーブルを保持して取り付けられる状況を示す。
【図２】本発明のケーブル保持装置１００がケーブルを把持して取り付けられた状況を示す図である。
【図３】本発明のケーブル保持装置において、スペーサー部材の一例を示す図である。
【図４】本発明のケーブル保持装置において、楔構造を備えるスペーサー部材の一例を示す図である。
【図５】本発明のケーブル保持装置において、楔構造を備えるスペーサー部材を用いてケーブルを保持する状況を示す説明図である。
【図６】従来のケーブル保持装置に係る図である。
【図７】従来のケーブル保持装置に係る図であり、スプリングを用いて締め付けるタイプを示す説明図である。
【符号の説明】
【００２７】
１００    ケーブル保持装置
１０      スペーサー部材
１０ｕ    ケーブル挿通部
１０ｔ    底面部
１０ｋ    ケーブルの挿通空間
１０ｓ    切り込み部
ｓｔ１、ｓｔ２    周端突設縁部
２０      固定用金具
ｆ１、ｆ２      フランジ部
３０      締結部材
C1、C2、〜Cm、５０Ｃ    ケーブル
４０    据え付け部材
ｇ      ギャップ(空間距離)
５０    楔型タイプのスペーサー部材
ｗ１、ｗ２      周端突設縁部（楔型タイプ）
【図１】
2009189073.tif 000003
【図２】
2009189073.tif 000004
【図３】
2009189073.tif 000005
【図４】
2009189073.tif 000006
【図５】
2009189073.tif 000007
【図６】
2009189073.tif 000008
【図７】
2009189073.tif 000009